(57)【要約】【課題】服薬において嚥下を補助するゼリー状物質を使用する際に、手間を減らすことができる服薬補助容器を提供すること。【解決手段】服薬補助容器１は、服薬において嚥下を補助するゼリー状物質を収容可能な服薬補助容器１である。この服薬補助容器１に収容されたゼリー状物質の上面中央に窪みを一時的に形成できるようになっている。服薬補助容器１は、その窪みに薬を載置することによって、ゼリー状物質が薬を包み込む、または、薬とゼリー状物質とを混ぜることが容易にできる。【選択図】  図１
2019063382.tif 000002
【特許請求の範囲】
【請求項１】
服薬において嚥下を補助するゼリー状物質を収容可能な服薬補助容器であって、
この服薬補助容器に収容されたゼリー状物質の上面に窪みを一時的に形成できることを特徴とする服薬補助容器。
【請求項２】
服薬補助容器は、本体と蓋体とを有しており、
蓋体は、本体に取り付けられた状態で、本体の底に向かって突出する凸部を有することを特徴とする請求項１に記載の服薬補助容器。
【請求項３】
蓋体の凸部には、服薬補助容器に収容されたゼリー状物質の窪みの一部が露出可能となっている開閉手段を有することを特徴とする請求項２に記載の服薬補助容器。
【請求項４】
本体は、可撓性を有することを特徴とする請求項２又は３に記載の服薬補助容器。
【発明の詳細な説明】
【技術分野】
【０００１】
本発明は、服薬において嚥下を補助するゼリー状物質を収容可能な服薬補助容器に関する。
【背景技術】
【０００２】
一般的には、内服用薬剤は、水や白湯とともに服用する。しかしながら、嚥下機能が十分ではない高齢者や子供は、水や白湯とともに内服用薬剤を嚥下することが困難な場合がある。
【０００３】
内服用薬剤の嚥下を容易にするために、特許文献１に示す嚥下を補助するゼリー状物質がある。このようなゼリー状物質は非特許文献１、非特許文献２及び非特許文献３に示す動画の手順で使用される。
【先行技術文献】
【特許文献】
【０００４】
【特許文献１】特許第５２４９９４１号公報
【非特許文献】
【０００５】
【非特許文献１】［公式］龍角散チャンネル、［らくらく服薬ゼリー］ 使い方  株式会社龍角散、［online］、2016年10月18日、YouTube（登録商標）、［平成29年9月19日検索］、インターネット〈URL：https://youtu.be/ym5Q939biYo〉
【非特許文献２】［公式］龍角散チャンネル、［おくすり飲めたね］ 使い方  株式会社龍角散、［online］、2016年10月18日、YouTube（登録商標）、［平成29年9月19日検索］、インターネット〈URL：https://youtu.be/JGXuOPBQ1ZQ〉
【非特許文献３】［公式］龍角散チャンネル、［らくらく服薬ゼリー漢方薬用］ 使い方  株式会社龍角散、［online］、2016年10月18日、YouTube（登録商標）、［平成29年9月19日検索］、インターネット〈URL：https://youtu.be/1HEj2VU7dec〉
【発明の概要】
【発明が解決しようとする課題】
【０００６】
非特許文献１の動画の０：００〜２：０２の部分、及び、非特許文献２の０：００〜１：３７の部分で示されているように、薬が錠剤及びカプセル剤の場合において、ゼリー状物質の使用は、以下の手順となる。
【０００７】
１  容器に嚥下を補助するゼリー状物質を入れる。２  容器内のゼリー状物質の上に薬を載せる。３  再度、薬の上にゼリー状物質を容器に入れて薬を包み込む。４  薬をしっかり包み込んだら、かまずにゴクンとゼリー状物質とともに薬を飲み込む。
【０００８】
非特許文献１の動画の２：０３〜２：４０の部分、非特許文献２の１：３７〜２：１４の部分、及び、非特許文献３の０：００〜１：０７の部分に示すように、薬が粉薬・細粒薬・顆粒薬・ドライシロップの場合、並びに、非特許文献３の１：０７〜１：１８の部分に示すように、薬が錠剤及びカプセル剤の場合において、ゼリー状物質の使用は、以下の手順となる。
【０００９】
１  容器にゼリー状物質を入れる。２  ゼリー状物質の上に薬を載せる。３  スプーンでゼリー状物質と薬をよく混ぜる。４  混ざったゼリー状物質と薬スプーンですくって、かまずにゴクンとゼリー状物質とともに薬を飲み込む。
【００１０】
上記の２つの手順においては、容器にゼリー状物質と薬を入れた後に、再度薬の上にゼリー状物質を容器に入れて薬を包み込む手順や、スプーンでゼリー状物質と薬をよく混ぜる手順が必要となり、使用者にとって手間であるという問題がある。スプーン等を使用すれば、容器の洗浄に加えてその使用したスプーン等を洗浄する手間もさらに加わる。
【００１１】
上記点より、本発明は、服薬において嚥下を補助するゼリー状物質を使用する際に、手間を減らすことができる服薬補助容器を提供することを目的とする。
【課題を解決するための手段】
【００１２】
上記課題を解決するため請求項１の服薬補助容器は、服薬において嚥下を補助するゼリー状物質を収容可能な服薬補助容器であって、この服薬補助容器に収容されたゼリー状物質の上面中央に窪みを一時的に形成できるようになっている。
【００１３】
請求項１の服薬補助容器によれば、ゼリー状物質の上面に一時的に形成された窪みに薬を載置できるようになっている。
【００１４】
ゼリー状物質の流動性が高ければ、服薬補助容器内でゼリー状物質は窪みを塞ぐように薬の周囲に流れ込む。このゼリー状物質が流れ込む過程で、薬がゼリー状物質に包み込まれる、または、薬がゼリー状物質と混ざるようになっている。
【００１５】
ゼリー状物質の流動性が低ければ、服薬補助用容器を揺動させる等の動作によって、服薬補助容器内でゼリー状物質の窪みを形成する壁部が薬を覆うように倒れ込ませる。このゼリー状物質が倒れ込む過程で、薬がゼリー状物質に包み込まれる、または、薬がゼリー状物質と混ざるようになっている。
【００１６】
請求項２の服薬補助容器は、請求項１の服薬補助容器において、服薬補助容器は、本体と蓋体とを有しており、蓋体は、本体に取り付けられた状態で、本体の底に向かって突出する凸部を有する。
【００１７】
請求項２の服薬補助容器によれば、請求項１の作用に加えて、本体にゼリー状物質を入れた後に、蓋体を本体に取り付けると、蓋体の凸部が本体に収容されたゼリー状物質の上面を押圧することによって、服薬補助容器に収容されたゼリー状物質の上面に窪みが一時的に形成される。蓋体を本体から取り外しても、ゼリー状物質の上面に窪みは残っている。窪みが残っている間に、その窪みに薬を載置できるようになっている。
【００１８】
ゼリー状物質の流動性が高ければ、蓋体を本体から取り外した後に、服薬補助容器の本体内でゼリー状物質は窪みを塞ぐように薬の周囲に流れ込む。このゼリー状物質が流れ込む過程で、薬がゼリー状物質に包み込まれる、または、薬がゼリー状物質と混ざるようになっている。
【００１９】
ゼリー状物質の流動性が低ければ、蓋体を本体から取り外した後に、服薬補助用容器の本体を揺動させる等の動作によって、服薬補助容器の本体内でゼリー状物質の窪みを形成する壁部が薬を覆うように倒れ込ませる。このゼリー状物質が倒れ込む過程で、薬がゼリー状物質に包み込まれる、または、薬がゼリー状物質と混ざるようになっている。
【００２０】
請求項３の服薬補助容器は、請求項２の服薬補助容器において、蓋体の凸部には、服薬補助容器に収容されたゼリー状物質の窪みの一部が露出可能となっている開閉手段を有する。
【００２１】
請求項３の服薬補助容器によれば、請求項２の作用に加えて、蓋体を本体から取り外すことがなく、開閉手段によってゼリー状物質の窪みの一部を露出させることができる。よって、蓋体がゼリー状物質の窪みの形状を維持したまま、露出したゼリー状物質の窪みの一部に薬を載置することができる。そのため、ゼリー状物質の窪みに薬を載置する作業を時間的な余裕をもって行うことができる。
【００２２】
ゼリー状物質の流動性が高ければ、ゼリー状物質の窪みに薬を載置した後、蓋体を本体から取り外すことによって、服薬補助容器の本体内で、ゼリー状物質は窪みを塞ぐように薬の周囲に流れ込む。このゼリー状物質が流れ込む過程で、薬がゼリー状物質に包み込まれる、または、薬がゼリー状物質と混ざるようになっている。
【００２３】
ゼリー状物質の流動性が低ければ、ゼリー状物質の窪みに薬を載置して蓋体を本体から取り外した後、服薬補助用容器の本体を揺動させる等の動作によって、服薬補助容器の本体内でゼリー状物質の窪みを形成する壁部が薬を覆うように倒れ込ませる。このゼリー状物質が倒れ込む過程で、薬がゼリー状物質に包み込まれる、または、薬がゼリー状物質と混ざるようになっている。
【００２４】
請求項４の服薬補助容器は、請求項２又は３の服薬補助容器において、本体は、可撓性を有する。
【００２５】
請求項４の服薬補助容器によれば、請求項２又は３の作用に加えて、ゼリー状物質の流動性が高ければ、服薬補助容器の本体内で、ゼリー状物質は窪みを塞ぐように薬の周囲に流れ込んだ後に、本体を揉むことができる。この本体を揉むことによって、より確実に薬をゼリー状物質に包み込むこと、または、より確実に薬をゼリー状物質と混ぜることができる。
【００２６】
ゼリー状物質の流動性が低ければ、服薬補助用容器の本体を揺動させる等の動作によって、服薬補助容器の本体内でゼリー状物質の窪みを形成する壁部が薬を覆うように倒れ込ませる。このゼリー状物質が倒れ込んだ後に、本体を揉むことができる。この本体を揉むことによって、より確実に薬をゼリー状物質に包み込むこと、または、より確実に薬をゼリー状物質と混ぜることができる。
【００２７】
また、ゼリー状物質の流動性が低ければ、ゼリー状物質の窪みを形成する壁部同士が密着するように服薬補助用容器の本体を押圧する動作によって、服薬補助容器の本体内でゼリー状物質が薬を覆う状態となる。服薬補助容器の本体内でゼリー状物質が薬を覆った状態のまま、服薬補助容器の本体を口に運ぶことによって、ゼリー状物質とともに薬を飲み込むことができる。
【００２８】
服薬補助容器の本体内でゼリー状物質が薬を覆う状態で、さらに、この本体を揉むことによって、より確実に薬をゼリー状物質に包み込むこと、または、より確実に薬をゼリー状物質と混ぜることができる。
【発明の効果】
【００２９】
請求項１から４のいずれかの発明によれば、服薬において嚥下を補助するゼリー状物質を使用する際に、手間を減らすことができる。
【図面の簡単な説明】
【００３０】
【図１】本発明に係る一実施形態の服薬補助容器の分解斜視図である。
【図２】予めゼリー状物質を収容した服薬補助容器での使用手順を示す端面概略図である。
【発明を実施するための形態】
【００３１】
以下、本発明の一実施形態の服薬補助容器１について説明する。
【００３２】
図１に示すように、服薬補助容器１は、本体２と、蓋体３と、トップシール４とを有する。
【００３３】
本体２は、有底の円筒部２１と円筒部２１の上端から延出するフランジ部２２とを有する。
【００３４】
本体２は可撓性を有する。
【００３５】
蓋体３は、有底の円筒部３１と円筒部３１の上端から延出するフランジ部３２とを有する。図２（ａ）〜（ｃ）に示すように、蓋体３は、本体２に取り付けられた状態で、有底の円筒部３１が本体２の底に向かって突出する凸部となっている。
【００３６】
蓋体３の円筒部３１は、本体２の円筒部２１より横断面積が小さくなっている。蓋体３の円筒部３１は、本体２の円筒部２１より高さが短くなっている。
【００３７】
図２（ａ）〜（ｃ）に示すように、蓋体３は、本体２に取り付けられた状態で、蓋体３の円筒部３１の底が本体２の円筒部２１の底から離間しており、蓋体３の円筒部３１の側周面が本体２の円筒部２１の側周面から離間している。
【００３８】
蓋体３のフランジ部３２の延出方向の幅は、本体２のフランジ部２２の延出方向の幅よりも長くなっている。
【００３９】
図２（ａ）〜（ｃ）に示すように、蓋体３を本体２に取り付けた状態では、本体２のフランジ部２２の上面に蓋体３のフランジ部３２の下面が接触して、本体２のフランジ部２２に蓋体３のフランジ部３２が重なるようになっている。
【００４０】
図２（ａ）〜（ｃ）に示すように、蓋体３の円筒部３１の底には開口３３が形成されている。この開口３３は、開閉手段であるシール３４で閉塞されている。
【００４１】
図２（ａ）に示すように、蓋体３のフランジ部３２の上面にはトップシール４が貼り付けられている。蓋体３の円筒部３１の上端の開口は、トップシール４で閉塞されている。
【００４２】
図２（ａ）に示すように、服薬補助容器１は、本体２と蓋体３とに囲まれた空間の縦断面形状が凹形状となっている。服薬補助容器１は、本体２と蓋体３とに囲まれた空間に服薬において嚥下を補助するゼリー状物質５を収容できるようになっている。服薬補助容器１は、本体２と蓋体３とに囲まれた空間に収容されたゼリー状物質５の上面に窪みを一時的に形成することができる。
【００４３】
以下、予めゼリー状物質５を収容した服薬補助容器１での使用手順について、図２を参照して説明する。
【００４４】
まず、図２（ａ）に示すように、蓋体３からトップシール４を剥がす。
【００４５】
次いで、図２（ｂ）に示すように、蓋体３からシール３４を剥がす。シール３４を剥がすことによって、服薬補助容器１の本体２と蓋体３とに囲まれた空間に収容されたゼリー状物質５の窪みの一部が露出する。
【００４６】
次いで、図２（ｃ）に示すように、露出したゼリー状物質５の窪みの一部に薬６を載置する。
【００４７】
次いで、図２（ｄ）に示すように、本体２から蓋体３を取り外す。
【００４８】
次いで、図２（ｅ）に示すように、ゼリー状物質の窪みを形成する壁部同士が密着するように服薬補助容器１の本体２を押圧する。この押圧によって、服薬補助容器１の本体２内でゼリー状物質５が薬６を覆う状態となる。服薬補助容器１の本体２内でゼリー状物質５が薬６を覆った状態のまま、服薬補助容器１の本体２を口に運ぶことによって、ゼリー状物質５とともに薬６を飲み込むことができる。
【００４９】
上記実施形態では、服薬補助容器１はトップシール４を有する場合について説明したが、これに限定されることはない。服薬補助容器は、本体と蓋体のみで構成されていてもよい。
【００５０】
上記実施形態では、服薬補助容器１の本体２が有底の円筒部２１を有している場合について説明したが、これに限定されることはない。本体は、有底であれば、横断面の形状が円以外の多角形等の筒体であってもよい。
【００５１】
上記実施形態では、服薬補助容器１において、図１で表現されているように、本体２のフランジ部２２全体が平らである場合について説明したが、これに限定されることはない。本体のフランジ部は、ゼリー状物質とともに薬が誘導される注ぎ口が形成されていてもよい。
【００５２】
本体のフランジ部の注ぎ口の形状に合わせて、蓋体のフランジ部の形状、トップシールの形状も図１で表現されている形状から変わることとなる。また、本体の側周面が、フランジ部の注ぎ口に向かってゼリー状物質と薬が流れるように誘導される形状となっていてもよい。
【００５３】
上記実施形態では、服薬補助容器１の本体２が可撓性を有する場合について説明したが、これに限定されることはない。ゼリー状物質の流動性が高ければ、蓋体を本体から取り外した後に、服薬補助容器の本体内で、ゼリー状物質は窪みを塞ぐように薬の周囲に流れ込む。このゼリー状物質が流れ込む過程で、薬がゼリー状物質に包み込まれる、または、薬がゼリー状物質と混ざるようになっていてもよい。
【００５４】
上記実施形態では、服薬補助容器１の蓋体３は、本体２に取り付けられた状態で、有底の円筒部３１が本体２の底に向かって突出する凸部となっている場合について説明したが、これに限定されることはない。本体の底に向かって突出する凸部は、有底の多角形の筒体、円錐、円錐台、角錐、角錐台等であってもよい。
【００５５】
上記実施形態では、服薬補助容器１において、図１及び図２で表現されているように、蓋体３は、上面視でゼリー状物質の上面の略中央の位置に窪みを形成できる形状となっている場合について説明したが、これに限定されることはない。窪みはゼリー状物質の上面のどの位置に形成してもよく、その窪みの形成位置に応じて蓋体の形状も変わることとなる。
【００５６】
上記実施形態では、服薬補助容器１において、蓋体３の円筒部３１の底には開口３３が形成されている。場合について説明したが、これに限定されることはない。ゼリー状物質の窪みの一部が露出することができるのであれば、開口３３が形成される位置を自由に変更することができる。
【００５７】
上記実施形態では、服薬補助容器１において、蓋体３は、開口３３が開閉手段であるシール３４で閉塞されており、ゼリー状物質の窪みの一部が露出させるために蓋体３からシール３４を剥がす場合について説明したが、これに限定されることはない。開閉手段は、ゼリー状物質の窪みの一部の閉塞及び露出を繰り返すことができるようになっていてもよい。開閉手段がゼリー状物質の窪みの一部の閉塞及び露出を繰り返すことができる場合は、当然、服薬補助容器は繰り返し使用可能である。
【００５８】
上記実施形態では、予めゼリー状物質５を収容した服薬補助容器１での使用手順について説明したが、これに限定されることはない。使用者は、本体にゼリー状物質を入れた後に、蓋体を本体に取り付けると、蓋体の凸部が本体に収容されたゼリー状物質の上面を押圧することによって、服薬補助容器に収容されたゼリー状物質の上面に窪みが一時的に形成されるようになっていてもよい。
【００５９】
上記実施形態では、服薬補助容器１での使用手順において、図２で表現されているように、薬６が錠剤及びカプセル剤の場合について説明したが、これに限定されることはない。服薬補助容器１での使用できる薬は、粉薬・細粒薬・顆粒薬・ドライシロップ等の他の剤型であってもよい。
【符号の説明】
【００６０】
１    服薬補助容器
２    本体
３    蓋体
４    トップシール
５    ゼリー状物質
６    薬
２１  円筒部
２２  フランジ部
３１  円筒部
３２  フランジ部
３３  開口
３４  シール
【図１】
2019063382.tif 000003
【図２】
2019063382.tif 000004